(57)【要約】【課題】  本発明は、ボックスから後部座席側に引き出し可能な入力部材に複数の入力部を形成し、入力部材を引き出すことにより、後部座席からでも正確で且つ容易な入力を行うことができる入力部材収納装置を提供すること。【解決手段】  空洞状のボックス４の内部には、複数の入力部を有する帯状の入力部材５が収納され、ボックス４には、入力部材５を引き出し可能な引き出し口４ｂが形成され、引き出し口４ｂから入力部材５を引き出すことにより、ボックス４の外部に入力部７が引き出されて入力操作可能になる。  そのために、例えば車の後部座席からも、オーディオ機器等を容易に操作することができる。【選択図】        図１
2005138703.tif 000002
【特許請求の範囲】
【請求項１】
空洞状のボックスの内部には、複数の入力部を有する帯状の入力部材が収納され、前記ボックスには、前記入力部材を引き出し可能な引き出し口が形成され、前記引き出し口から前記入力部材を引き出すことにより、前記ボックスの外部に前記入力部が引き出されて操作可能になることを特徴とする入力部材収納装置。
【請求項２】
前記帯状の入力部材は、一端部側が前記ボックスの外部に位置すると共に他端部側が前記ボックス内部に係止された状態で渦巻き状に所定の付勢力で巻取りされていることを特徴とする請求項１記載の入力部材収納装置。
【請求項３】
前記入力部材は、前記一端部側を前記付勢力に抗して牽引して、前記入力部が外部から操作可能な長さになった時点で、加えていた牽引力を解除すると、前記ボックス内部に前記入力部材を巻き込もうとする前記付勢力がロックされて、前記入力部材の巻き取りが停止するようになっていることを特徴とする請求項２記載の入力部材収納装置。
【請求項４】
前記入力部材は、前記ボックスの内部に複数配設され、前記複数の入力部材にそれぞれ前記入力部が形成されていることを特徴とする請求項１乃至３のいずれかに記載の入力部材収納装置。
【請求項５】
前記入力部は、前記ボックスから引き出される前記入力部材の帯状部分に、所定の隙間を有して互いに対向する一対の接点部からなり、この一対の接点部が互いに接触して導通することにより前記各種機器を操作可能になっていることを特徴とする請求項１乃至４のいずれかに記載の入力部材収納装置。
【請求項６】
前記入力部材には、前記入力部が位置する部分に表示マークが形成されていることを特徴とする請求項１乃至５のいずれかに記載の入力部材収納装置。
【請求項７】
前記入力部材の前記一端部には、この一端部が前記引き出し口から前記ボックス内部に巻き込まれるのを防止するためのプレートが固着されていることを特徴とする請求項２乃至６のいずれかに記載の入力部材収納装置。
【請求項８】
前記プレートには、前記各種機器の名称が表示されていることを特徴とする請求項７記載の入力部材収納装置。
【請求項９】
前記ボックスは、車の運転席と助手席との間に配設され、前記入力部材は、車の後部座席側に引き出し可能になっていることを特徴とする請求項１乃至８のいずれかに記載の入力部材収納装置。
【発明の詳細な説明】
【技術分野】
【０００１】
本発明は入力部材収納装置に係わり、ボックス内に収納された入力部を有する入力部材を、ボックスから引き出すことで入力部を操作可能な入力部材収納装置に関する。
【背景技術】
【０００２】
従来の入力部材収納装置として、例えば車の後部座席からオーディ機器あるいはエアコン等の各種機器類を操作可能なスイッチ装置、あるいはリモコン装置等（図示せず）があった。
前記スイッチ装置は、運転席の背面あるいは助手席の背面に固定した操作パネルに、複数のスイッチが取り付けられていた。そして、助手席の背面に固定した複数のスイッチを後部座席から操作することにより、オーディ機器あるいはエアコン装置等の各種機器類を操作可能になっていた。
【０００３】
また、リモコン装置は、オーディ機器あるいはエアコン装置等の各種機器に対応して複数個のリモコン装置を使って、各種機器を後部座席から遠隔操作可能になっていた。
あるいは、複数個のリモコン装置を１つにまとめて、１個の筐体に複数のスイッチを配設し、この複数のスイッチを操作するようなものもあった。
【特許文献１】特開平８−３１８７９３号公報
【発明の開示】
【発明が解決しようとする課題】
【０００４】
しかし、前述したような従来の入力部材収納装置であるスイッチ装置は、運転席の背面あるいは助手席の背面に操作パネルが固定されているので、後部座席から操作パネルのスイッチを操作するには、手を伸ばして操作しなければならなかった。
そのために、車が振動しているの運転中等においては、正確にスイッチ装置を操作できず、誤入力等のおそれがあった。
また、従来の入力部材収納装置であるリモコン装置は、手に持った状態で操作できるので、車が振動しても確実な操作はできるが、オーディ機器あるいはエアコン装置等の各種機器に対応した数が必要であった。そのために、各種機器に対応したリモコン装置を探すのに時間が掛かる問題があった。
また、複数個のリモコン装置を１つにまとめて、１個の筐体に複数のスイッチを配設したものでは、指等で操作するためのスイッチの数が多くなり、目的とするスイッチを探すのが煩わしかった。
【０００５】
本発明は前述したような課題を解決するために、ボックス内に収納した入力部材に複数の入力部を形成し、ボックスから入力部材を引き出すことにより、入力部を確実に且つ容易することができる入力部材収納装置を提供することを目的とする。
【課題を解決するための手段】
【０００６】
前記課題を解決するための第１の手段として本発明の車の入力部材収納装置は、空洞状のボックスの内部には、複数の入力部を有する帯状の入力部材が収納され、前記ボックスには、前記入力部材を引き出し可能な引き出し口が形成され、前記引き出し口から前記入力部材を引き出すことにより、前記ボックスの外部に前記入力部が引き出されて操作可能になることを特徴とする。
【０００７】
また、前記課題を解決するための第２の手段として、前記帯状の入力部材は、一端部側が前記ボックスの外部に位置すると共に他端部側が前記ボックス内部に係止された状態で渦巻き状に所定の付勢力で巻取りされていることを特徴とする。
【０００８】
また、前記課題を解決するための第３の手段として、前記入力部材は、前記一端部側を前記付勢力に抗して牽引して、前記入力部が外部から操作可能な長さになった時点で、加えていた牽引力を解除すると、前記ボックス内部に前記入力部材を巻き込もうとする前記付勢力がロックされて、前記入力部材の巻き取りが停止するようになっていることを特徴とする。
【０００９】
また、前記課題を解決するための第４の手段として、前記入力部材は、前記ボックスの内部に複数配設され、前記複数の入力部材にそれぞれ前記入力部が形成され、前記それぞれの入力部を操作することで、オーディオ機器あるいはエアコン等の各種機器を操作可能になっていることを特徴とする。
【００１０】
また、前記課題を解決するための第５の手段として、前記入力部は、前記ボックスから引き出される前記入力部材の帯状部分に、所定の隙間を有して互いに対向する一対の接点部からなり、この一対の接点部が互いに接触して導通することにより前記各種機器を操作可能になっていることを特徴とする。
【００１１】
また、前記課題を解決するための第６の手段として、前記入力部材には、前記入力部が位置する部分に表示マークが形成されていることを特徴とする。
【００１２】
また、前記課題を解決するための第７の手段として、前記入力部材の前記一端部には、この一端部が前記引き出し口から前記ボックス内部に巻き込まれるのを防止するためのプレートが固着されていることを特徴とする。
【００１３】
また、前記課題を解決するための第８の手段として、前記プレートには、前記各種機器の名称が表示されていることを特徴とする請求項７記載の入力部材収納装置。
【００１４】
また、前記課題を解決するための第９の手段として、前記ボックスは、車の運転席と助手席との間に配設され、前記入力部材は、車の後部座席側に引き出し可能になっていることを特徴とする。
【発明の効果】
【００１５】
本発明の入力部材収納装置は、空洞状のボックスの内部には、複数の入力部を有する入力部材が収納され、前記ボックスには、前記入力部材を引き出し可能な引き出し口が形成され、前記引き出し口から前記入力部材を引き出すことにより、前記ボックスの外部に前記入力部が引き出されて操作可能となるので、入力部材をボックスから外部に引き出して、外部から入力部を確実に操作することができる。そのために、オーディオ機器あるいはエアコン装置等の各種機器類を、誤操作することなく確実に入力できる。
【００１６】
また、入力部材は、一端部側が前記ボックスの外部に位置すると共に他端部側が前記ボックス内部に係止された状態で渦巻き状に所定の付勢力で巻取りされているので、使用しないときの入力部材は、ボックス内に自動的に巻取りされて、他の入力部材と絡み合うのを防止できる。
【００１７】
また、入力部材は、一端部側を付勢力に抗して牽引して、入力部が外部から操作可能な長さになった時点で、加えていた牽引力を解除すると、ボックス内部に入力部材を巻き込もうとする付勢力がロックされて、入力部材の巻き取りが停止するようにしたので、入力部材に矢印Ａ方向の付勢力が加わってない状態で入力部を操作することができ、更に正確な入力を行うことができる。
【００１８】
また、入力部材は、ボックスの内部に複数配設され、この複数の入力部材にそれぞれ入力部が形成されているので、それぞれの入力部材に対応した入力部を操作することで、オーディオ機器あるいはエアコン等の各種機器類を操作することができる。
【００１９】
また、入力部は、ボックスから引き出される入力部材の帯状部分に、所定の隙間を有して互いに対向して形成された一対の接点部からなり、この一対の接点部が互いに接触して導通することにより前記各種機器を操作可能になっているので、入力部の構造が簡単で低コストである。
【００２０】
また、入力部材には、入力部が位置する部分に表示マークが形成されているので、操作性が更に良い。
【００２１】
また、入力部材の一端部には、この一端部が引き出し口からボックス内部に巻き込まれるのを防止するためのプレートが固着されているので、入力部材の一端部側を、常にボックスの外部に位置させることができる。
【００２２】
また、プレートには、各種機器の名称が表示されているので、各種機器を間違いなく操作することができる。
【００２３】
また、ボックスは、車の運転席と助手席との間に配設され、入力部材は、車の後部座席側に引き出し可能になっているので、後部座席側からも、オーディオ機器あるいはエアコン等の各種機器類を操作できる。
【発明を実施するための最良の形態】
【００２４】
以下、図面に基づいて本発明の実施の形態について説明する。まず、図１は本発明の入力部材収納装置を説明する図であり、図２は本発明に係わる入力部材を説明する概略図であり、図３は本発明に係わるプレートの概略図である。
まず、本発明の入力部材収納装置１を、例えば車に用いたもので説明すると、図１に示すように、運転席２と助手席３間には、入力部材収納装置１の一部である内部が空洞状のボックス４が配設されている。
【００２５】
そして、車の後部座席（図示せず）側から見たボックス４の後部壁４ａには、スリット状の溝からなる複数の引き出し口４ｂが貫通形成されている。
また、ボックス４の空洞内部には、渦巻き状に巻取りされた所定長さで帯状のストラップからなる入力部材５が配設されている。
前記入力部材５は、外周部が、布、あるいは柔軟性のある樹脂材料からなる被覆部材で覆われており、被覆部材の内部には、図示を省略するが、ＰＥＴフィルム等からなる可撓性のある２枚のフレキシブル回路基板（ＦＰＣ）からなるメンブレンが長手方向に埋設されている。
【００２６】
前記メンブレンは、ＦＰＣが２枚積層され、このＦＰＣに後述する入力部７を構成する接点部が形成されていると共に、この接点部に接続する配線パターンがそれぞれ形成されている。
また、入力部材５は、一端部５ａ側が引き出し口４ｂから引き出されてボックス４の外部に位置していると共に、他端部５ｂ側がボックス４内部のコネクタ（図示せず）に接続されている。
そして、ボックス４内部に位置する他端部５ｂ側は、渦巻き状に巻取りされて、弾性部材（図示せず）により、所定の付勢力で矢印Ａ方向に常時巻取り付勢されている。
【００２７】
前記引き出し口４ｂから引き出されてボックス４の外部に位置する入力部材５の一端部５ａ側には、引き出し口４ｂのスリット幅より厚く形成された、形状が平板状で略矩形状のプレート６が接着剤等で固着されている。
そのために、矢印Ａ方向に巻取り付勢されている入力部材５は、プレート６がストッパーとなって、引き出し口４ｂからボックス４内部に巻き込まれないようになっている。
また、プレート６には、図３に示すように、例えばオーディ機器あるいはエアコン装置等の各種機器類が操作できるように、各種機器の名称が表示されている。
【００２８】
また、入力部材５は、図２に示すように、プレート６を固着した一端部５ａ寄りの位置でボックス４から引き出しされる部分に、複数、例えば４個の入力部７が長手方向に直列状に形成されている。
前記入力部７は、図示を省略するが、帯状の入力部材５の内部に、２枚のＦＰＣからなるメンブレンが埋設され、２枚のＦＰＣに所定の隙間を有して互いに対向して形成された一対の接点部からなっている。
【００２９】
そして、それぞれの入力部７に形成された接点部は、配線パターン（図示せず）によって、ボックス４内部のコネクタ（図示せず）に接続されて電気的に導通している。
また、入力部材５には、入力部７が位置する部分に、図２に示すような、表示マークが形成されているので、操作性が良い。
【００３０】
また、本発明の入力部材収納装置１を、例えばテレビ操作用のもので説明すると、テレビ操作用の入力部材５は、図２に示すように、プレート６にＴＶの表示がされていると共に、図示左側の−、＋の表示マークがある２つの入力部７で、例えば音量調整、また図示右側の矢印状の表示マークがある２つの入力部７で、例えば所望のチャンネルに切換可能になっている。
また、入力部材５は、図３に示すように、テレビ以外に、例えばＡＭ／ＦＭの表示がある部分でラジオ受信機の操作、あるいは、Ａ／Ｃの表示がある部分でエアコンの操作、あるいはＤＶＤの表示がある部分でＤＶＤ装置の操作等が可能になっている。
【００３１】
前述したような本発明の入力部材収納装置１の操作を説明すると、操作前における初期状態の入力部材５の他端部５ｂ側は、矢印Ａ方向に所定の付勢力で巻取り付勢されて渦巻き状になった状態でボックス４内部に位置している。
また、入力部材５の一端部５ａ側に固着したプレート６は、引き出し口４ｂの外側に位置した状態になっている。
この状態の入力部材５は、図１に示すように、一端部側のプレート６を付勢力に抗して矢印Ｂ方向に牽引すると、入力部７が外部に引き出される。
【００３２】
そして、入力部７が外部から操作可能な長さになった時点で、入力部材５に加えていた矢印Ｂ方向の牽引力を解除すると、ボックス４内部に配設したストッパ（図示せず）の働きで、ボックス４内部に入力部材５を巻き込もうとする矢印Ａ方向の付勢力がロックされて、入力部材５の巻き取りが停止する。
この時に引き出しされた入力部材５が、図２に示すように、例えばテレビを操作可能なものだと、入力部材５を引き出した時点でテレビの電源が自動的にＯＮされる。
そして、図２に示すプレート６寄りの部分の２個の入力部７を、親指と人差し指とで挟み込んでＯＮ操作することで、例えば所望のチャンネルを選択することができる。
また、図２に示すプレート６から離れた部分の２個の入力部７を、それぞれ操作することで、所望の音量に調整することができる。
【００３３】
そして、所望のチャンネルに選択、および所望の音量に調整が終わって、帯状の入力部材５をボックス４に収納するには、ボックス４から所定量引き出した状態の入力部材５を、矢印Ｂ方向に若干引き出すことで、引き込み防止のロックが解除されて、矢印Ａ方向の付勢力で入力部材５が巻取りされて、ボックス４内部に収納することができる。   
また、テレビの電源をＯＦＦにしたいときは、図２に示す入力部材５の入力部７、７に加えてＯＮ／ＯＦＦスイッチ（図示せず）を設け、このスイッチの操作で電源がＯＦＦされるようになっている。
【００３４】
あるいは、入力部材５の引き込み防止のロックを解除して、入力部材５をボックス４内部に巻取ることにより、プレート６が引き出し口４ｂに位置して入力部材５の巻き取りが停止すると、それを検出して、テレビ等の電源が自動的にＯＦＦするようにしても良い。
また、その他の各種機器についても、前述したテレビの操作と同様の操作で、各種の操作を行うことができる。
【００３５】
尚、本発明の実施の形態では、入力部材５をボックス４の後部壁４ａから後部座席側に引き出すもので説明したが、ボックス４の前部壁（図示せず）から助手席側に引き出すようにしたものでも良い。
また、本発明の入力部材収納装置１を車に用いたもので説明したが、例えば飛行機の座席あるいは新幹線の座席の肘掛け等に本発明の入力部材収納装置１を取り付けたものでも良い。
【図面の簡単な説明】
【００３６】
【図１】本発明の入力部材収納装置を説明する図である。
【図２】本発明に係わる入力部材を説明する概略図である。
【図３】本発明に係わるプレートを説明する概略図である
【符号の説明】
【００３７】
１  本発明の入力部材収納装置
２  運転席
３  助手席
４  ボックス
４ａ  後部壁
４ｂ  引き出し口
５  入力部材
５ａ  一端部
５ｂ  他端部
６  プレート
７  入力部
【図１】
2005138703.tif 000003
【図２】
2005138703.tif 000004
【図３】
2005138703.tif 000005